(57)【特許請求の範囲】
【請求項１】
本体に内装された発光体からの光が、透光部を透過して外方へ放出されるようになされた誘導灯であって、
前記発光体と透光部の間には光制御部が設けられており、
該光制御部には、前記発光体からの光が通過する通光部と、該通光部よりも通過する光が弱められる抑制部とが、それぞれ細長形状に形成される共に、幅方向に沿ってそれぞれ交互に配置されて複数並設されており、
前記光制御部は、入射して透過させる光を拡散光として放射させる光拡散板を備えると共に、該光拡散板の光の出口側に前記各通光部及び前記各抑制部が形成されており、
前記光拡散板を透過して拡散光として放射される光のうち一方の方向へ向かう光が前記抑制部により規制されて、
前記方向とは反対方向へ向かう光がより強い光で放出されるようになされたことを特徴とする誘導灯。
【請求項２】
前記抑制部が、前記光制御部に入射した光を遮断するように設けられていることを特徴とする請求項１に記載の誘導灯。
【発明の詳細な説明】
【技術分野】
【０００１】
本発明は、一方へ向けて、他方より強い光を放射させて観者を誘導する誘導灯に関するものである。
【背景技術】
【０００２】
屋外の通路などに設置され、夜間に発光して観者を誘導する誘導灯については、種々の発明が開示されている。
【０００３】
例えば特許文献１には、電源装置と、発光制御部と、発光部とを備えた発光装置を避難誘導経路に沿って間隔をおいて複数設置し、前記発光部の発光により避難経路を示す装置であって、該発光部から発せられる誘導に係わる光は、避難経路方向を向いた避難者から視認できるようになされると共に、前記避難経路方向と逆方向を向いた避難者には視認できないようになされていることを特徴とする避難経路誘導装置、が本出願人により提案されている。
【先行技術文献】
【特許文献】
【０００４】
【特許文献１】特開２００５−２２１５２１号公報
【発明の概要】
【発明が解決しようとする課題】
【０００５】
特許文献１の図１には、一方の傾斜面の内部に、発光する複数のＬＥＤからなる発光部１を設けた発光装置の構成が記載されているが、本発明はこれとは異なる構成により、一方へ向けて他方より強い光を放射させる誘導灯を提供するものである。
【課題を解決するための手段】
【０００６】
上記目的を達成するため、本発明は以下のような構成としている。
すなわち本発明に係る誘導灯は、本体に内装された発光体からの光が、透光部を透過して外方へ放出されるようになされた誘導灯であって、
前記発光体と透光部の間には光制御部が設けられており、
該光制御部には、前記発光体からの光が通過する通光部と、該通光部よりも通過する光が弱められる抑制部とが、それぞれ細長形状に形成される共に、幅方向に沿ってそれぞれ交互に配置されて複数並設されており、
前記光制御部は、入射して透過させる光を拡散光として放射させる光拡散板を備えると共に、該光拡散板の光の出口側に前記各通光部及び前記各抑制部が形成されており、
前記光拡散板を透過して拡散光として放射される光のうち一方の方向へ向かう光が前記抑制部により規制されて、
前記方向とは反対方向へ向かう光がより強い光で放出されるようになされたことを特徴とするものである。
【０００７】
本発明に係る誘導灯によれば、本体に内装させた発光体からの光を、透光部を透過させて外方へ放出させるように設け、前記発光体と透光部の間に光制御部を設けて、この光制御部に、前記発光体からの光が通過する通光部と、この通光部よりも通過する光を弱める抑制部とを並設させ、前記光制御部を通過する光のうち一方の方向へ向かう光を前記抑制部により規制させて、前記方向とは反対方向へ向かう光をより強い光で放出させるので、この強い光が放出される方向から誘導灯を目視したときに、他方から目視したときと比較して誘導灯がより明るく視認される。このため、誘導方向を向いた観者に対して前記強い光を放出させるように誘導灯を設置させて、観者が誘導経路の方向へ視線を向けたときには誘導灯の前記強い光を視認させ、逆方向へ視線をむけたときには前記抑制部により弱められた光を視認させるように誘導灯を設置させて、観者が誘導経路を直感的に判別できるように設けることができる。
また、前記通光部と前記抑制部とを、それぞれ細長形状に形成させて、幅方向に沿ってそれぞれ交互に配置させて複数並設させるので、この各通光部から発せられる前記強い光によって透光部が面状に発光するように視認され、誘導灯の視認性が高められる。
【０００８】
また、前記光制御部に入射した光を遮断するように前記抑制部を設ければ、誘導経路方向を向いた観者に対して前記強い光を放出させるように誘導灯を設置させたときに、観者が誘導経路と逆方向を進行している場合には、発光体からの光が前記抑制部により遮断されて観者から視認されず、その方向への誘導がなされない。そして前記強い光が視認される誘導経路の方向をより明確に判別することができ、観者の誘導効果が高まるので、好ましい。
【発明の効果】
【０００９】
本発明に係る誘導灯によれば、透光部から発せられる強い光が面状に発光するように視認され、視認性が高められる。
【図面の簡単な説明】
【００１０】
【図１】本発明に係る誘導灯の実施の一形態を示す、（イ）は平面図であり、（ロ）は正面図である。
【図２】図１のＡ−Ａ断面図である。
【図３】図１の光制御部を示す図である。
【図４】図３のＡ−Ａ断面図である。
【図５】本発明に係る誘導灯の光制御部の実施の他の一形態を示す、（イ）は平面図であり、（ロ）は正面図である。
【図６】図５のＡ−Ａ断面図である。
【発明を実施するための形態】
【００１１】
本発明の実施の形態を図面に基づき具体的に説明する。
図面において、１は誘導灯である。誘導灯１は、上方が開口された本体枠１１の上面を塞ぐように無色透明な透光部２が設けられており、透光部２の側縁に段差が設けられるとともに、その段差に上方から嵌着する固定材３が設けられ、固定材３がねじ１９により本体枠１１に固定されることで透光部２が本体枠１１に固着されている。固定材３は透光部２の側縁の全周に亘って取り付けられている。本体枠１１は、アルミニウム鋳物やアルミダイカスト等の金属製のものを用いてもよいが、本実施形態に置いては合成樹脂を射出成形することで形成している。透光部２は透明なポリカーボネート樹脂の射出成形品である。固定材３はアルミニウム鋳物を用いている。
【００１２】
透光部２の下面から下方に、チップ型の発光ダイオードである発光体１６が発光基板１５に取り付けられて設けられている。発光体１６の光軸は透光部２が配置された真上の方向となされている。透光部２と発光基板１５との間には、鉛蓄電池である蓄電部Ｂが設けられ、この蓄電池Ｂに透光部２の下方の適宜の位置に設けられた太陽電池Ｓにより生起された電力が蓄電されて、夜間において蓄電された電力を発光体１６へ供給して発光させるようになされている。
【００１３】
また、発光体１６の周囲には、これを取り囲むように側壁部１８が設けられている。側壁部１８は、光を良好に反射させるように鏡面体などで形成されており、発光基板１５の上面付近から透光部２の下面付近まで延設されている。発光体１６からの光が側壁部１８で反射されることで、発光体１６からの光が無駄なく透光部２へ導かれるので、透光部２から外方へ放射される光の発光輝度が高められて、誘導灯１の視認性が向上する。
本実施形態の誘導灯１は、主に透光部２の上面が設置面と面一となるように埋設設置されて用いられるようになされている。本実施形態の誘導灯１は透光部２の上面より上方へ大きく突出する部位がないため、通路などに埋設設置させた場合に、歩行者などが誘導灯１に躓くなどの問題が生じにくくなされる。
【００１４】
透光部２の下面付近には、透光部２と発光体１６との間に配置されると共に、側壁部１８に囲われるようにして、矩形の略板状に形成された光制御部４が取り付けられている。光制御部４は、発光体１６から発せられて入射した光を透光部２へ向けて放射させるようになされている。
【００１５】
図３は図１の光制御部４を示す図であり、図４は図３のＡ−Ａ断面図である。
本実施形態の光制御部４は、矩形の板状に形成された光拡散板４３と、その上方に配置されて光拡散板４３の上面を覆う有孔板４４とを備えている。
光拡散板４３は、入射して透過させる光を拡散光として放射させるように設けられており、本実施形態の光拡散板４３は透光性を有する乳白色の樹脂板で形成されている。また、光拡散板４３の材質はこれに限るものではなく、透過させた光を拡散光として放射できる他の構成を用いてもよく、例えば、透光性を有する板材の表面に光拡散性を有する物質をコーティングさせてもよく、透光性を有する板材の表面を梨地状に形成させて光拡散性を具備させても良く、他の方法で形成させてもよい。
【００１６】
本実施形態の有孔板４４は、矩形の金属板で形成されており、細長形状に形成されて貫通するスリット孔４５が複数形成されて並設されている。
具体的には、スリット孔４５は、最初に有孔板４４へ線形状の切れ込みを形成させ、この切れ込みの一方の縁部４５ａを他方の縁部４５ｂより上方へ位置させるように曲げ加工して、縁部４５ａと縁部４５ｂとの間にスリット孔４５を形成させている。
図４に示すように、本実施形態の縁部４５ａは、斜め上方へ向けて突出し、スリット孔４５の上方を覆うように形成されている。
【００１７】
図３に示すように、細長形状に形成された各スリット孔４５は、それぞれの長手方向が矩形形状の有孔板４４の幅方向に沿うように設けられると共に、有孔板４４の長手方向に沿って複数並設されており、本実施形態の各スリット孔４５は有孔板４４へ全体的に配置されるように１０個並設されている。
また、各スリット孔４５は、斜め上方へ突出する縁部４５ａの突出方向を揃えて形成されており、図中において、各縁部４５ａが各スリット孔４５の左上側にそれぞれ配置されて設けられている。
【００１８】
光制御部４は、下方に配置された発光体１６からの光を透過させて、上方の透光部２へ放射させるようになされており、本実施形態の光制御部４においては、図４に示すように、発光体１６からの光Ｌ１が最初に光拡散板４３に入射する。
光Ｌ１は光拡散板４３を透過し、上方から出射光Ｌ２として出射されるが、この出射光Ｌ２は光拡散板４３により拡散されて、放射状に出射されるようになされる。
【００１９】
上方へむけて放射状に出射される出射光Ｌ２は、その一部が有孔板４４に遮られ、スリット孔４５を通る出射光Ｌ２のみが出射されて、透光部２を透過し、誘導灯１の外方へ放射されるようになされている。
本実施形態の有孔板４４は、スリット孔４５の上方を覆うように縁部４５ａが斜め上方向へ突出して設けられ、図４においては、各縁部４５ａは斜め右上方向へ突出しているため、図中左上方向へ向かう出射光Ｌ２は、縁部４５ａに遮られてスリット孔４５を通過することができない。このため、光拡散板４３の上面から、主に図中上方向ないし図中右上方向へ向かう出射光Ｌ２がスリット孔４５を通過し、誘導灯１の外方へ出射されるようになされる。
【００２０】
また、本実施形態の有孔板４４は、その下面が鏡面状に設けられており、良好な光反射性を有するように形成されている。
このため、図中左上方向へ向かい縁部４５ａに遮られた出射光Ｌ２の一部が、縁部４５ａで反射されて図中右方向へ向かい、スリット孔４５を通過するようになされるので、スリット孔４５を通過する出射光Ｌ２がより強い光となされるように設けられる。
有孔板４４の下面は鏡面状に限るものではなく、光反射性が良好な他の構成に形成させてよく、例えば、白色など光を良好に反射させる色に塗装させてもよい。
【００２１】
上記のように光制御部４を設けることにより、本実施形態の誘導灯１は、スリット孔４５に対して縁部４５ｂが設けられた方向から視認したときに出射光Ｌ２が視認でき、縁部４５ａが設けられた方向から視認したときには出射光Ｌ２が縁部４５ａに遮られて視認できないようになされる。
このため、誘導経路に沿って誘導灯１を設置させるときに、誘導方向側へ縁部４５ａを位置させ、逆側に縁部４５ｂを位置させて設置させることで、誘導方向側へ視線を向けた観者からは発光体１６の発する光が視認でき、逆側へ視線を向けた観者からは発光体１６からの光が視認できないようになされるので、観者が直感的に誘導方向を判断できる。
【００２２】
また、図３に示すように、本実施形態の光制御部４は、各スリット孔４５のそれぞれの長手方向を有孔板４４の幅方向に沿うように設けると共に、有孔板４４の長手方向に沿って複数並設させて、各スリット孔４５が有孔板４４へ全体的に配置されるように設けているので、スリット孔４５を通過する出射光Ｌ２が光制御部４全体から放射されるように観者に視認され、誘導灯１の発光が面状に視認されて、その視認性が向上する。
【００２３】
図５は本発明に係る誘導灯１の光制御部の実施の他の一形態を示す、（イ）は平面図であり、（ロ）は正面図である。
本実施形態の光制御部５は矩形の板形状に形成されており、図１〜２に示す誘導灯１において、光制御部４の代わりに取り付けられて用いられるようになされている。
【００２４】
本実施形態の光制御部５は、矩形の板状に形成された光拡散板５３から形成されている。
具体的には、前記光拡散板５３は、下面が平面状に形成され、上面には上方に突出する山型の突条５４が全面に亘って並設されて、鋸刃状の断面形状に形成されている。
各突条５４は、それぞれ光拡散板５３の幅方向に沿って両端に至るように形成され、光拡散板５３の長手方向に沿って並設されており、本実施形態の光拡散板５３には１０個の突条５４が並設されている。
【００２５】
各突条５４は、上端５４ａから一方の斜め下方向へ下るように平面状の傾斜面５４ｂが形成され、上端５４ａから逆側の斜め下方向へ下るように平面状の傾斜面５４ｃが形成されるように形成されている。
各突条５４の傾斜面５４ｂは、その下端が隣接する突条５４の傾斜面５４ｃの下端、若しくは光拡散板５３の縁に至るように形成され、各突条５４の傾斜面５４ｃは、その下端が隣接する突条５４の傾斜面５４ｂの下端、若しくは光拡散板５３の縁に至るように設けられている。
また、本実施形態の光拡散板５３は、入射して透過させる光を拡散光として放射させるように設けられており、本実施形態の光拡散板５３は透光性を有する乳白色の樹脂板で形成されている。また、光拡散板５３の材質はこれに限るものではなく、透過させた光を拡散光として放射できる他の構成を用いてもよく、例えば、透光性を有する板材の表面に光拡散性を有する物質をコーティングさせてもよく、透光性を有する板材の表面を梨地状に形成させて光拡散性を具備させても良く、他の方法で形成させてもよい。
【００２６】
図６は図５のＡ−Ａ断面図である。
本実施形態の光制御部５は、各傾斜面５４ｃの表面の全面に亘って、光の透過を遮蔽する遮蔽層５６が形成されている。本実施形態の遮蔽層５６は、白色塗料の塗膜により形成されている。
【００２７】
光制御部５は、図３〜４に示す光制御部４と同様に、下方に配置された発光体１６からの光を透過させて、上方の透光部２へ放射させるようになされており、本実施形態の光制御部５においては、図６に示すように、発光体１６からの光Ｌ１が最初に光拡散板５３の下面から入射する。
光Ｌ１は光拡散板５３を透過し、上方から出射光Ｌ２として出射されるが、この出射光Ｌ２は光拡散板５３により拡散されて、放射状に出射されるようになされる。
【００２８】
光拡散板５３を透過する光のうち、その一部が傾斜面５４ｃの遮蔽層５６に遮られ、傾斜面５４ｂを通る出射光Ｌ２のみが出射されて、透光部２を透過し、誘導灯１の外方へ放射されるようになされている。
本実施形態の光制御部５は、遮蔽層５６が全面に設けられた傾斜面５４ｃが突条５４の上端５４ａから図中左下方向へ下るように形成されているので、光拡散板５３内を図中左上方向へ向かう光は、遮蔽層５６に遮られるため光制御部５から放射されない。
そして、上端５４ａから図中右下方向へ下る傾斜面５４ｂを通過する出射光Ｌ２のみが誘導灯１の外方へ出射されるようになされる。また、出射光Ｌ２は光拡散板５３で拡散されて、傾斜面５４ｂから放射状に出射されるので、出射光Ｌ２は光制御部５の上方から、主に図中上方向ないし図中右上方向へ向けて放射されるように出射される。
【００２９】
また、本実施形態の遮蔽層５６は、白色塗料の塗膜で形成され、良好な光反射性を有するように形成されている。
このため、光拡散板５３の内部で図中左上方向へ向かい、遮蔽層５６に遮られた光の一部が、遮蔽層５６で反射されて図中右方向へ向かい、傾斜面５４ｂを通過するようになされるので、傾斜面５４ｂを通過する出射光Ｌ２がより強い光となされるように設けられる。
遮蔽層５６は白色塗料の塗膜に限るものではなく、光反射性が良好な他の構成に形成させてよく、例えば、白色や鏡面状の光を良好に反射させるシートを貼着させて設けても良い。
【００３０】
上記のように光制御部５を設けることにより、本実施形態の光制御部５を内装させた誘導灯１は、傾斜面５４ｂが向けられた方向から視認したときに出射光Ｌ２が視認でき、傾斜面５４ｃが向けられた方向から視認したときには光が遮蔽層５６に遮られて視認できないようになされる。
このため、誘導経路に沿って誘導灯１を設置させるときに、誘導方向側へ傾斜面５４ｃ向け、逆側へ傾斜面５４ｂを向けて設置させることで、誘導方向側へ視線を向けた観者からは傾斜面５４ｂを通過する出射光Ｌ２が視認でき、逆側へ視線を向けた観者からは発光体１６からの光が視認できないようになされるので、観者が直感的に誘導方向を判断できる。
【００３１】
また、図６に示すように、本実施形態の光制御部５は、各突条５４の両端を光拡散板５３の幅方向の両縁に至るように設けると共に、光拡散板５３の長手方向に沿って全面に亘って並設させて、各傾斜面５４ｂが光拡散板５３の上面に全体的に配置されるように設けているので、傾斜面５４ｂを通過する出射光Ｌ２が光制御部５全体から放射されるように観者に視認され、誘導灯１の視認性が向上する。
【００３２】
図１〜４に示す光制御部４や、図５〜６に示す光制御部５においては、透過する光の出射を抑制させる抑制部として設けた有孔板４４や、傾斜面５４ｃの遮蔽層５６によって透過する光の一部を遮断させ、光を通過させる通光部として設けたスリット孔４５や、傾斜面５４ｂを通る出射光Ｌ２を一方へ向けて出射させて、観者が直感的に誘導経路を識別できるような発光標示を行うように設けている。
この抑制部について、例えば有孔板４４や遮蔽層５６などを透光性を若干有する部材で形成させ、光を完全に遮断させずに弱めて透過させるように形成させて、通光部より弱い光が抑制部から出射されるように設けても、誘導灯１の発光標示に誘導経路の識別効果を具備させることができる。しかし、図１〜６に示す光制御部４、５のように、光を遮断可能に抑制部を設けることで、通光部を通過する光のみが明るく視認されるように発光させることができるため、誘導方向側のみを明るく発光させて、観者に対する誘導経路の識別効果がより高い発光標示を行うことができる。
【符号の説明】
【００３３】
１    誘導灯
１１  本体枠
１５  発光基板
１６  発光体
１８  側壁部
１９  ねじ
２    透光部
３    固定材
４    光制御部
４３  光拡散板
４４  有孔板
４５  スリット孔
４５ａ  縁部
４５ｂ  縁部
５    光制御部
５３  光拡散板
５４  突条
５４ａ  上端
５４ｂ  傾斜面
５４ｃ  傾斜面
５６  遮蔽層
Ｂ    蓄電部
Ｓ    太陽電池
【図１】
0005845111.tif 000002
【図２】
0005845111.tif 000003
【図３】
0005845111.tif 000004
【図４】
0005845111.tif 000005
【図５】
0005845111.tif 000006
【図６】
0005845111.tif 000007